(57)【要約】【課題】サイフォン現象の発生を確実に防ぐトラップを得る。【解決手段】排水導入部、夾雑物を分離する分離室および排水口を有する本体槽と、排水口から逆流する臭気を封水によって遮断するトラップ槽とを備えた阻集器で、トラップ槽は、分離室の底面部の排水がトラップ槽内に流入するように下端部に形成した排水流入口と、排水流入口から流入した排水を堰き止めて越流を生じさせる越流部を備えた越流室と、越流室と連通して流入する排水を貯留し水封を行う水封室と、水封室内の排水を排水口へ流出させる排水流出口とを備え、越流室と水封室との連通部を、排水流出口の下端位置より低位置に形成して封水深を確保し、トラップ槽内が負圧となったときに外気の流入を可能とする吸気開口を越流室に備えた。【選択図】図１
2019085728.tif 000002
【特許請求の範囲】
【請求項１】
排水を導入する排水導入部と、当該排水導入部を通じて導入された排水に含まれる夾雑物を分離する分離室と、当該分離室で夾雑物が除去された排水を排出する排水口と、を有する阻集器本体槽と、
前記分離室と前記排水口との間に介在されるように前記阻集器本体槽内に備えられて前記排水口から逆流する臭気を封水によって遮断するトラップ手段と
を備えた阻集器であって、
前記トラップ手段は、トラップ槽からなり、
当該トラップ槽は、
前記分離室の底面部の排水が当該トラップ槽内に流入するように下端部に形成した排水流入口と、
当該排水流入口から流入した排水を堰き止めて越流を生じさせる越流部を備えた越流室と、
当該越流室と連通して当該越流室から流入する排水を貯留し水封を行う水封室と、
当該水封室内の排水を前記排水口へ流出させる排水流出口と
を備え、
前記越流室と前記水封室との連通部を、前記排水流出口の下端位置より低い位置に形成することにより封水深を確保する一方、
当該トラップ槽内が負圧となったときに外部から空気が流入することを可能とする吸気開口を前記越流室に備えた
ことを特徴とする阻集器。
【請求項２】
前記トラップ槽内で水平方向に隣り合うように前記越流室と前記水封室を配置し、
これら越流室と水封室とを仕切る仕切板を当該越流室と水封室との間に備え、
当該仕切板を、前記水封室の底面より上方で且つ前記排水流出口の下端位置より低い位置まで立ち下げ、これにより、前記水封を形成しつつ当該仕切板の下方に前記連通部を備えた
請求項１に記載の阻集器。
【請求項３】
前記越流室は、
前記排水流入口と連通する前室と、
当該前室と水平方向に隣り合うように配置され前記水封室と連通する後室と
を含み、
前記越流部は、前記排水流入口から前記前室へ流入した排水を堰き止めて前記前室から前記後室への越流を生じさせるように前記前室と前記後室とを仕切る堰板を含む
請求項１または２に記載の阻集器。
【請求項４】
前記前室を取り囲んでトラップ槽の外周面を形成する周板を備え、
当該周板のうち前記排水流入口の上部の周板が、前記排水流入口に向けて下方へ向かうにつれ外方へ広がる傾斜部を有し、
当該傾斜部の下縁部に前記排水流入口が形成されている
請求項３に記載の阻集器。
【請求項５】
前記越流室の上面に前記吸気開口を備えた
請求項１から４のいずれか一項に記載の阻集器。
【請求項６】
前記阻集器本体槽の一端部に前記排水導入部を配置することにより当該一端部を阻集器内の排水の流れの上流とする一方、
前記阻集器本体槽の他端部に前記排水口および前記トラップ槽を配置することにより当該他端部を阻集器内の排水の流れの下流とし、
前記排水導入部と前記トラップ槽との間に前記分離室を配置した
阻集器であって、
前記下流に配置されたトラップ槽の上流に面する側を当該トラップ槽の正面としたときに、
前記排水流入口が、前記トラップ槽の側面および背面のうちのいずれか一方または双方に備えられている
請求項１から５のいずれか一項に記載の阻集器。
【請求項７】
前記阻集器本体槽の一端部に前記排水導入部を配置することにより当該一端部を阻集器内の排水の流れの上流とする一方、
前記阻集器本体槽の他端部に前記排水口および前記トラップ槽を配置することにより当該他端部を阻集器内の排水の流れの下流とし、
前記排水導入部と前記トラップ槽との間に前記分離室を配置した
阻集器であって、
前記下流に配置されたトラップ槽の上流に面する側を当該トラップ槽の正面としたときに、
前記トラップ槽の幅が前記阻集器本体槽の両側壁間の距離より小さく、これにより、前記トラップ槽の左側面と前記阻集器本体槽の左側壁との間、および、前記トラップ槽の右側面と前記阻集器本体槽の右側壁との間、のいずれか一方または双方にまで前記分離室が形成されている
請求項１から６のいずれか一項に記載の阻集器。
【請求項８】
前記トラップ槽は、前記越流室を取り囲んで当該トラップ槽の外周面を形成する筐体を備え、
当該筐体により、前記分離室内の排水表面に浮遊する夾雑物を堰き止め、前記トラップ槽内への当該夾雑物の侵入を阻止可能とした
請求項７に記載の阻集器。
【請求項９】
前記トラップ槽が、前記阻集器の底板上に据え置くことが可能な一つのまとまりある独立したユニットとして構成されている
請求項１から８のいずれか一項に記載の阻集器。
【請求項１０】
前記排水流出口は、前記阻集器の排水口に対して着脱自在に接続することができ、
これにより前記トラップ槽が前記阻集器に対して着脱可能である
請求項９に記載の阻集器。
【請求項１１】
前記水封室の内部を掃除することを可能とする開口を当該水封室の上面に備えるとともに、
当該開口から臭気が外部に漏れることを防ぐ蓋体を開閉可能に当該開口に備えた
請求項１から１０のいずれか一項に記載の阻集器。
【請求項１２】
前記阻集器本体槽の一端部に前記排水導入部を配置することにより当該一端部を阻集器内の排水の流れの上流とする一方、
前記阻集器本体槽の他端部に前記排水口および前記トラップ槽を配置することにより当該他端部を阻集器内の排水の流れの下流とし、
前記排水導入部と前記トラップ槽との間に前記分離室を配置した
阻集器であって、
前記下流に配置されたトラップ槽の上流に面する側を当該トラップ槽の正面としたときに、
水平方向に隣り合うように且つ上流側に越流室が位置し下流側に水封室が位置するように前記越流室と前記水封室とを前記トラップ槽内に形成し、
前記水封室の背面、左側面および右側面のいずれかに前記排水流出口を備えた
請求項１から１１のいずれか一項に記載の阻集器。
【請求項１３】
排水から夾雑物を除去する阻集器に備えられ、当該阻集器内に収容された排水を封水として利用して臭気の逆流を防ぐトラップ槽であって、
阻集器の底面部の排水が流入できるよう下端部に形成した排水流入口と、
当該排水流入口から流入した排水を堰き止めて越流を生じさせる越流部を備えた越流室と、
当該越流室と連通して当該越流室から流入する排水を貯留し水封を行う水封室と、
当該水封室から排水を流出させる排水流出口と
を備え、
前記越流室と前記水封室との連通部を、前記排水流出口の下端位置より低い位置に形成することにより封水深を確保する一方、
前記トラップ槽内が負圧となったときに外部から空気が流入することを可能とする吸気開口を前記越流室に備えた
ことを特徴とするトラップ槽。
【発明の詳細な説明】
【技術分野】
【０００１】
本発明は、阻集器およびトラップ槽に係り、特に油脂や固形物などの夾雑物が含まれる排水から夾雑物を分離除去するグリース阻集器に備えるトラップの構造に関する。
【背景技術】
【０００２】
下水道への油の流出を防ぐため業務用の厨房では阻集器の設置が義務付けられている。この阻集器はグリーストラップとも称され、一般に、排水を貯留可能な分離室と、バスケット（受け籠）と、トラップ管とを備え、排水はバスケットを通して分離室に流入する。バスケットでは食べ物カスのような比較的大きな固形状のゴミが捕捉され、バスケットを通過した排水は分離室に溜められる。分離室では排水に含まれる油脂が比重差によって水に浮いて上部に集まり、底面部の水だけがトラップ管を経由して下水に排出される。
【０００３】
トラップ管は、下水からの臭気の逆流や昆虫・小動物の侵入を分離室内に溜められる排水を利用して遮断するとともに、バスケットによって取りきれずに排水に沈んだ小さな固形物や汚泥が下水に流出することを防ぐ機能を果たす。
【０００４】
また、このような阻集器を開示するものとして、下記特許文献がある。
【先行技術文献】
【特許文献】
【０００５】
【特許文献１】特開平１０−３１１０８３号公報
【特許文献２】実用新案登録第３０５６２５８号公報
【特許文献３】特開２００４−２５７０８１号公報
【発明の概要】
【発明が解決しようとする課題】
【０００６】
ところで、従来の阻集器は、阻集器内に流入する排水の量が急激に増大した場合にトラップ管が水没して管内が負圧となることでサイフォン現象が発生し、これにより分離室内に溜められた油脂や底面部に沈殿した固形物や汚泥が吸い出されて下水へ流出することがあった。
【０００７】
そこで、このようなトラブルを防ぐ方法として、トラップ管内に外気を引き込む通気管を設け、あるいは、管内が負圧になったときに自動的に開放される通気弁をトラップ管に備えることが考えられる（例えば特許文献１参照）。
【０００８】
ところが、床下に設置した阻集器から通気管を立ち上げることはスペースの点から設置が困難な場合が少なくない。また通気弁は、正常に動作するか定期的に点検が必要となるうえに、排水に含まれる油脂が付着して動作不良を起こす可能性がある。
【０００９】
一方、このような問題を解消するため、前記特許文献２，３に記載の発明では、トラップ管の角度を従来とは異なる特定の角度に設定することでサイフォン現象の発生を抑制する。
【００１０】
しかしながらこれら文献２，３記載の発明によっても、トラップ管が密閉された管であることには変わりはなく、想定以上の排水の流入があったり予想外の原因で下水道への配管内が大幅に負圧となった場合にサイフォン現象の発生を完全に排除できるとは限らない。また当該発明では、例えば８０度のエルボ継手（特許文献３参照）のように、通常規格（９０度や４５度）ではない特殊な継手を使用する必要があるうえ、トラップ管の角度設定が複雑になる分、阻集器の設計が煩雑となる面がある。
【００１１】
したがって、本発明の目的は、設置スペース上の問題や動作不良の発生のおそれがなく、特殊な継手や複雑な設計を要することなくサイフォン現象の発生をより確実に防ぐことが出来る新たなトラップ構造を得ることにある。
【課題を解決するための手段】
【００１２】
前記課題を解決し目的を達成するため、本発明に係る阻集器は、阻集器本体槽とトラップ手段とを備え、阻集器本体槽（以下単に「本体槽」と言うことがある）は、排水を導入する排水導入部と、排水導入部を通じて導入された排水に含まれる夾雑物を分離する分離室と、分離室で夾雑物が除去された排水を排出する排水口を有する。またトラップ手段は、分離室と排水口との間に介在されるように本体槽内に備えられ、排水口から逆流する臭気を封水（排水）によって遮断する。
【００１３】
従来の阻集器でも封水によって臭気の逆流を防ぐトラップ手段が備えられているが、本発明の阻集器が備えるトラップ手段は、従来のようなトラップ管ではなく、次のような特徴的な構造を有するトラップ槽である。
【００１４】
すなわち当該トラップ槽は、分離室の底面部の排水が当該トラップ槽内に流入するように下端部に形成した排水流入口と、排水流入口から流入した排水を堰き止めて越流を生じさせる越流部を有する越流室と、越流室と連通して当該越流室から流入する排水を一時的に貯留し水封を行う水封室と、水封室内の排水を前記排水口へ流出させる排水流出口とを備える。そして、越流室と水封室との連通部を、排水流出口の下端位置より低い位置に形成することにより封水深を確保する一方、当該トラップ槽内が負圧となったときに外部から空気が流入できるようにする吸気開口を越流室に備えた。このような阻集器における排水の流れは、次のとおりである。
【００１５】
処理すべき排水は、排水導入部から阻集器本体槽に導入され、分離室内で油脂及びバスケットを通過した固形物（以下「汚泥」と言う）が水との比重差を利用して分離室上部及び底部に集められることにより分離される。油脂及び汚泥が取り除かれた分離室底面部の排水は、トラップ槽の下端部に形成した前記排水流入口からトラップ槽（越流室）内に流入する。
【００１６】
越流室には、流入する排水を堰き止めて越流を生じさせる越流部を備えてあり、排水は越流部を乗り越えて水封室との連通部に向かう。なお、本体槽内の排水の水位は、当該越流部によって決定され、当該越流部の高さと略等しくなる。
【００１７】
上記連通部を通過した排水は、水封室内に浸入し、排水流出口へと流れていく。排水流出口は、本体槽の排水口に接続してあり、これら排水流出口と排水口を通じて阻集器の外部（例えば下水道）へと排水が排出される。
【００１８】
また上記連通部は、排水流出口の下端位置より低位置に形成してある。したがって、水封室内に溜まった排水によって当該連通部は水没状態にあり、連通部を通って越流室に臭気が逆流することはない。また、水封室は、後に述べるように掃除用の開口を備えることはあるが、当該開口を備えた場合にも阻集器の運転状態では蓋体によって当該開口は閉塞され、臭気が外部に漏れないように密閉されている。
【００１９】
一方、多量の排水が急激に本体槽およびトラップ槽内に流入するなどして、密閉されている水封室内が負圧となった場合には、サイフォン現象が発生することにより連通部を通じて越流室内の排水が水封室へと引き込まれることがある。しかしながら、越流室は吸気開口を備え、この吸気開口は少なくとも阻集器の運転中は常に開放されているから、当該吸気開口を通じて外部の空気が越流室内に吸い込まれる。したがって、越流部を既に乗り越えて越流室内に溜まっている排水が水封室にすべて吸い込まれると、これに続いて吸気開口から吸い込まれた外気が連通部を通って水封室へ流れ込むことになり、水封室の負圧（サイフォン現象）は一気に解消されることとなる。
【００２０】
また本発明のトラップ槽では、吸気開口を備えることで外気に開放された（密閉されていない）越流室が、浮上分離した油脂及び重力沈降した汚泥を溜め置く分離室と、排水口に連通する水封室との間に介在され、越流室によって分離室と水封室とが遮断されている。したがって、たとえサイフォン現象が発生したとしても、あるいは排水口と下水道を接続する排水配管に何らかの原因で持続的に負圧状態が生じても、吸気開口から吸入される外気が排水口から下水道に向けて吸引されるだけで済み、分離室内に留め置かれた油脂や汚泥が下水道へ吸い出されることがない。
【００２１】
このようにトラップ槽を備える本発明の阻集器によれば、吸気開口の作用によりたとえサイフォン現象が発生したとしても直ちにこれを解消することができるうえに、浮上油脂及び汚泥が貯留されている分離室と下水道に通じる水封室とが越流室によって遮断・分離されているから、阻集器内の浮上油脂や汚泥が下水道へ流出するアクシデントが生じることをより確実に防ぐことが出来る。
【００２２】
なお、上記のような越流室内の排水とこれに続く吸気開口からの外気の吸引によって水封室の水封状態が一時的に（一瞬）破られることがあったとしても、空気の流れは排水の流れと同じ方向（越流室から水封室に向けた方向）となっており、水封室内の臭気は逆方向（水封室から越流室に向けた方向）へは逆流し難い。また阻集器は運転中であり、越流部を乗り越えて直ぐに排水が連通部および水封室へ流入してくるから、負圧状態（サイフォン現象）が解消されれば連通部は水没して直ちに水封室の水封機能は回復する。したがって、阻集器外部（屋内側）への臭気漏れの問題も生じない。
【００２３】
以下、このような本発明の阻集器の好ましい態様について述べる。
【００２４】
本発明の阻集器では、トラップ槽内で水平方向に隣り合うように越流室と水封室を配置し、これら越流室と水封室とを仕切る仕切板を越流室と水封室との間に備えることがある。この場合、当該仕切板を、水封室の底面より上方で且つ排水流出口の下端位置より低い位置まで立ち下げ、これにより水封を確保しつつ当該仕切板の下方に前記連通部を形成する。
【００２５】
また越流室は、排水流入口と連通する前室と、この前室と水平方向に隣り合うように配置され水封室と連通する後室とを含み、越流部が、排水流入口から前室へ流入した排水を堰き止めて前室から後室への越流を生じさせるように前室と後室とを仕切る堰板を含む場合がある。
【００２６】
さらに、越流室の前室を取り囲んでトラップ槽の外周面を形成する周板を備え、当該周板のうち排水流入口の上部の周板が排水流入口に向けて下方へ向かうにつれ外方へ広がる傾斜部を有し（言い換えれば、前室の水平断面積が下方に向かうに従って大きくなるように排水流入口の上部の周板に傾斜部を備え）、当該傾斜部の下縁部に排水流入口が形成されていることがある。
【００２７】
排水をスムーズにトラップ槽内に流入させ、越流部に導くためである。すなわち、本体槽内の排水は、分離室底面部から排水流入口を通ってトラップ槽内に流れ込み、越流部を乗り越えるために越流室前室内を上昇するが、排水流入口上部の周板に上記のような傾斜部を備えれば、トラップ槽内に流入する排水が水平に前室に浸入した後に垂直に向きを変えて上昇するのではなく、分離室底面部から斜め上方に向け進行しつつ、排水流入口を通って越流室前室へ流入するようになり、トラップ槽内に流入する排水をスムーズに越流部へと導き入れることが出来る。
【００２８】
前記吸気開口は、越流室の上面に備えることが好ましい。多量の排水が阻集器に流入したときにも水没することなく確実に吸気がなされるようにするためである。
【００２９】
また、典型的な配置として本発明の阻集器では、阻集器本体槽の一端部に排水導入部を配置することにより当該一端部を阻集器内の排水の流れの「上流」とする一方、阻集器本体槽の他端部に排水口およびトラップ槽を配置することにより当該他端部を阻集器内の排水の流れの「下流」とし、排水導入部とトラップ槽との間に分離室を配置する。また排水導入部には、比較的大きな固形物を捕捉するバスケット（受け籠）を備え、このバスケットを通して本体槽に排水を導入するようにしても良い。
【００３０】
さらに当該典型的な配置例においては、下流に配置されたトラップ槽の上流に面する（上流に向いた）側をトラップ槽の「正面」としたときに、排水流入口を、トラップ槽の正面ではなく、側面および背面のうちのいずれか一方または双方に備えることが好ましい。分離室内に留めるべき浮上油脂が流入口からトラップ槽内に吸い込まれることを防ぐためである。このような態様によれば、側面や背面側に回り込むようにして排水がトラップ槽に取り入れるようになることで浮上油脂がトラップ槽内に入り込み難くすることができ、上流から下流に向かって本体槽内を流れる排水に乗ってダイレクトに（真っ直ぐに）浮上油脂が排水流入口に進入することを防ぐことが出来る。
【００３１】
また上記典型的な配置構造を備える阻集器では、トラップ槽の幅が阻集器本体槽の両側壁間の距離より小さく、これにより、トラップ槽の左側面と阻集器本体槽の左側壁との間、および、トラップ槽の右側面と阻集器本体槽の右側壁との間、のいずれか一方または双方にまで前記分離室が形成されていることがある。
【００３２】
従来の阻集器では、本体槽の中間部を、上流側と下流側にそれぞれ備えた一対のバッフル（邪魔板）（スライド板とも言う）で仕切って分離室とし、これらバッフルの間に水面に浮いた油脂を堰き止めて貯留している（前記特許文献１の図１〜図２、特許文献２の図１，図４、特許文献３の図１０参照）。これに対して上記配置構造を備える本発明の阻集器によれば、本体槽の下流側端部まで一つの分離室を形成して従来に比べ多くの油脂を溜めることができ、グリース阻集効率を上げることが出来る。
【００３３】
さらに前記トラップ槽は、越流室を取り囲んでトラップ槽の外周面を形成する筐体を備え、この筐体により分離室内の排水表面に浮遊する浮上油脂を堰き止め、トラップ槽内への浮上油脂の侵入を阻止することがある。
【００３４】
このような態様によれば、トラップ槽の筐体により分離室に浮いた油脂を堰き止めることができ、従来備えられていた下流側のバッフルが不要となるから、前述のように多くの油脂を溜めることが可能となるうえに阻集器の構造を簡素化することが出来る。
【００３５】
またトラップ槽は、阻集器内部の底板上に据え置くことが可能な一つのまとまりある独立したユニットとして構成することがある。本発明に係るトラップ槽の阻集器への適用を容易にし、阻集器の設計や製造（トラップ槽の設置）、メンテナンス（トラップ槽の交換修理等）を簡便にできるようにするためである。
【００３６】
また前記排水流出口を阻集器の排水口に対して着脱可能に接続することにより、トラップ槽を阻集器に対して着脱自在に構成することも出来る。このような態様によれば、阻集器やトラップ槽のメンテナンス（本体槽やトラップ槽の掃除）を行い易くすることが出来る。
【００３７】
さらに、水封室の内部を掃除することを可能とする開口を水封室の上面に備えても良い。この場合、当該開口から臭気が外部に漏れることを防ぐ蓋体を開閉可能に当該開口に備える。
【００３８】
また、本体槽の一端部（上流）に排水導入部を、他端部（下流）にトラップ槽を、それらの間に分離室をそれぞれ配置した前述の典型的な配置例において、トラップ槽の上流に面する側をトラップ槽の正面としたとき、水平方向に隣り合うように且つ上流側に越流室が位置し下流側に水封室が位置するように越流室と水封室とをトラップ槽内に形成するとともに、越流室の背面、左側面および右側面のいずれかに排水流出口を備えるようにしても良い。
【００３９】
後に述べる実施形態では本体槽の排水口の位置に対応して越流室の背面に排水流出口を備えたが、背面のほか、当該排水口が本体槽の左側壁にある場合には左側面に、あるいは、右側壁にある場合には右側面に排水流出口を備えることにより、排水口の位置の異なる、様々な現場に柔軟に対応可能な阻集器を構成することが出来る。
【００４０】
さらに、背面、左側面および右側面のうちの２以上またはすべてに排水流出口を予め備えておいても良く、この場合、排水口の位置が異なる複数種類の阻集器に使用可能な、排水口の位置について汎用性の高いトラップ槽とすることが出来る。なお、使用しない（本体槽の排水口と接続しない）排水流出口は、蓋体によって閉塞すれば良い。
【００４１】
また、本発明の阻集器に備えた前記トラップ槽は、トラップ槽単体として提供しても良い。トラップ槽を単体で提供することで、例えば、既設の阻集器に対して本発明を適用できるようになるからである。つまり、現在すでに設置され使用されている阻集器においてトラップ管を上記トラップ槽と交換すれば、本発明に係る前記阻集器と同様の阻集器を構成することができ、これを利用することが可能となる。
【００４２】
当該本発明のトラップ槽は、排水から夾雑物を除去する阻集器に備えられ、阻集器内に収容された排水を封水として利用して臭気の逆流を防ぐトラップ槽であって、阻集器の底面部の排水が流入できるよう下端部に形成した排水流入口と、排水流入口から流入した排水を堰き止めて越流を生じさせる越流部を備えた越流室と、越流室と連通して当該越流室から流入する排水を貯留し水封を行う水封室と、水封室から排水を流出させる排水流出口とを備え、越流室と水封室との連通部を、排水流出口の下端位置より低い位置に形成することにより封水深を確保し、トラップ槽内が負圧となったときに外部から空気が流入することを可能とする吸気開口を越流室に備える。
【００４３】
なお、単体で提供するこのトラップ槽についても、前記本発明の阻集器に備えたトラップ槽に関する様々な態様を採用することが可能である。
【発明の効果】
【００４４】
本発明の阻集器ないしトラップ槽によれば、設置スペース上の問題や動作不良のおそれがなく、特殊な継手や複雑な設計を要することなくサイフォン現象の発生をより確実に防止して夾雑物の流出を防ぐことが出来る。
【００４５】
本発明の他の目的、特徴および利点は、図面を参照して述べる以下の本発明の実施の形態の説明により明らかにする。なお、各図中、同一の符号は同一又は相当部分を示す。
【図面の簡単な説明】
【００４６】
【図１】図１は、本発明の一実施形態に係る阻集器と当該阻集器に備えたトラップ槽の内部構造を示す側面図である。
【図２】図２は、前記実施形態に係る阻集器を示す平面図（上蓋を開けた状態）である。
【図３】図３は、前記実施形態に係る阻集器の内部構造を示す背面図である。
【図４】図４は、前記実施形態の阻集器に備えたトラップ槽を示す斜視図である。
【図５】図５は、前記トラップ槽を切り欠いて内部構造（図２のＸ−Ｘ線で切り欠いた状態）を示す斜視図である。
【図６】図６は、前記実施形態の阻集器に備えたトラップ槽の変形例を示す斜視図（図４とは反対に上流側／正面側から見た状態）である。
【図７】図７は、前記変形例に係るトラップ槽を切り欠いて内部構造（図２のＸ−Ｘ線で切り欠いた状態であるが、図５とは反対に上流側／正面側から見た状態）を示す斜視図である。
【発明を実施するための形態】
【００４７】
図１から図５に示すように本発明の一実施形態に係る阻集器１１は、排水から油脂や固形物などの夾雑物を取り除いて下水道へ排出するもので、排水を受け入れて浮上油脂及び汚泥を分離し留める本体槽（阻集器本体槽）１２と、下水道からの臭気の逆流を防ぐトラップ槽４１とを備えている。本体槽１２は、排水を導入する排水導入部２１を一端部に、夾雑物を取り除いた後の排水を下水道へ向け排出する排水口１４を他端部にそれぞれ備え、これら排水導入部２１と排水口１４との間に分離室３１を形成した。
【００４８】
なお、排水は、排水導入部２１から分離室３１へ流入し、分離室３１内を排水口１４に向け流れてトラップ槽４１を介して排水口１４から排出されるから、この排水の流れに基づいて排水導入部２１側を「上流」、排水口１４側を「下流」と称する。また上流側から下流側を見た場合に、上流側を「前」または「正面」、下流側を「後」または「背面」とする。さらに、左右（「左」「左側面」「右」「右側面」等）についても同様に、上流側から下流側を見た状態を基準とする。
【００４９】
本体槽１２は、上流側の端部（排水導入部２１を備える前記一端部）に位置する前壁１２ａと、下流側の端部（排水口１４を備える前記他端部）に位置する後壁１２ｂと、左側壁１２ｃと、右側壁１２ｄと、底板１２ｅとを備えた直方体の全体形状を有し、天面は、バスケット内に溜まった夾雑物や槽内に溜まった浮上油脂及び沈降汚泥を取り出して清掃しあるいはメンテナンスを行うため開口とし、当該開口を開閉可能な上蓋１６によって閉塞する。
【００５０】
排水導入部２１には、排水を通過させることにより食べ物カスのような比較的大きな固形物を捕捉するバスケット２２を備える。排水導入部２１と分離室３１とはスライド板（バッフル）１３によって仕切り、当該スライド板１３の下方（スライド板１３の下端と本体槽底板１２ｅとの間）に隙間を作ることにより排水がスライド板１３の下を潜って（排水導入部２１と分離室３１との連通部２３を通って）排水導入部２１から分離室３１へと流れ込むようにしてある。
【００５１】
本体槽１２内のスライド板１３より下流側、すなわち、本体槽１２の左側壁１２ｃと右側壁１２ｄと後壁１２ｂとスライド板１３とによって囲まれた領域は分離室３１とする。この分離室３１は浮遊性の油脂と沈降性汚泥を留める部屋で、スライド板１３の下を潜って排水導入部２１から流入した排水に含まれる油脂は比重差によって水面に浮き、水と分離されて分離室３１の水面付近に溜め置かれ、汚泥は底板１２ｅ上に沈降堆積する。なお、図中符号Ｗ１は、本体槽１２内に溜まる排水の水面（水位）を示している。
【００５２】
分離室３１の底面部には、排水導入部２１と分離室３１との連通部２３に対向するように分離室３１の底面（本体槽１２の底板１２ｅ）から立ち上がる分離室の堰板３２を備える。この分離室の堰板３２は、当該連通部２３から分離室３１へと本体槽１２の底板１２ｅに沿って流入する排水がそのまま本体槽１２の底板１２ｅに沿ってトラップ槽４１内に進行することを防ぎ、当該排水の流れを水面に向け上方に変えるもので、この堰板３２の作用により、比重差による浮力に加えて排水に含まれる油脂が分離室３１の水面上に浮きやすくなる。
【００５３】
さらに、本実施形態の阻集器１１では、分離室３１が本体槽１２の下流側の端部（後壁１２ｂの位置）まで形成されているから、従来の阻集器より分離室３１が広く、より多くの油脂を本体槽１２内に溜めることが可能である。したがって、阻集器１１のグリース阻集効率を向上させることが出来る。
【００５４】
本体槽１２の後壁１２ｂの左右方向の中央位置には排水口１４を備え、この排水口１４に接続するようにトラップ槽４１を分離室３１内に設置する。トラップ槽４１は、当該トラップ槽４１の外周面を構成する正面板４２、背面板４３、左側板４４および右側板４５からなる箱状の筐体を備えて鉛直方向に長い直方体状の全体形状を有するとともに、本体槽１２の底板１２ｅの上面から本体槽１２の天面付近まで本体槽１２の後壁１２ｂに沿うように立ち上がり、本体槽１２の深さと略同一の高さを有する。
【００５５】
また、トラップ槽４１の正面板４２および背面板４３は本体槽１２の底板１２ｅに接しているが、左側板４４および右側板４５はそれらの下端と本体槽１２の底板１２ｅとの間に隙間が形成されるように備えてあり、これらの隙間がトラップ槽４１内に排水を流入させる排水流入口６０となっている。
【００５６】
一方、背面板４３には上記筐体の内部から排水を流出させる排水流出口５５を備える。この排水流出口５５は、本体槽１２の後壁１２ｂに備えた排水口１４と接続する。
【００５７】
また上記筐体の内部には、筐体内部を前後に仕切って前側部分に越流室６１を、後側部分に水封室６２をそれぞれ形成する仕切板５０を備える。この仕切板５０は、両側板４４，４５（左側板４４および右側板４５）を繋ぐように両側板４４，４５の間に広がり、前記筐体の天面から、排水流出口５５の下端より低位置で且つ両側板４４，４５の下端（後述する底板４９）より高い位置まで、正面板４２および背面板４３と平行に鉛直方向に立ち下がる。仕切板５０の前側（上流側）、すなわち仕切板５０と正面板４２と左側板４４と右側板４５とにより囲まれた内部空間は越流室６１となり、仕切板５０の後側（下流側）、すなわち仕切板５０と背面板４３と左側板４４と右側板４５とにより囲まれた内部空間は水封室６２となる。
【００５８】
さらに、水封室６２の天面を塞ぐように前記筐体の天面の下流側半分に天板４６を備える。この天板４６には清掃用の開口４７を設けるが、水封室６２内の臭気が外部へ漏れることがないように当該開口４７を開閉可能な蓋体４８で閉塞する。また、当該天板４６によって覆われていない前記筐体の天面部分は越流室６１の天面部分で開口５４となっているが、当該開口５４は越流室６１内に外気を流入させる吸気開口である。
【００５９】
他方、左側板４４の下端と右側板４５の下端を繋ぐように水平に広がる底板４９を備える。この底板４９は、左右方向へは両側板４４，４５の間に亘って延在するが、前後方向に関しては背面板４３の前面から前方へ水平に延び、堰板５２まで達する。なお、この底板４９は、前記仕切板５０の下端と本体槽１２の底板１２ｅとの間を通るように備えられており、当該底板４９と仕切板５０の下端との間には、越流室６１と水封室６２とを接続する連通孔５１が形成される。一方、当該底板４９と本体槽１２の底板１２ｅとの間の隙間（空間）は、両側板４４，４５の下に形成された前記排水流入口６０から越流室６１に浸入するための排水の流入路となっている。
【００６０】
越流室６１は、正面板４２と仕切板５０に平行に且つこれらの間に挟まれるように配置した堰板５２により、前後に分けられている。この堰板５２は、前記仕切板５０と同様に両側板４４，４５を繋ぐように両側板４４，４５の間に広がり、前記底板４９の前端から鉛直上方に立ち上がり、前記筐体の天面まで延びる。この堰板５２の前側、すなわち堰板５２と正面板４２と左側板４４と右側板４５とにより囲まれた内部空間を前室６１ａとし、当該堰板５２の後側、すなわち堰板５２と仕切板５０と左側板４４と右側板４５とにより囲まれた内部空間を後室６１ｂとする。
【００６１】
そして、堰板５２の上部位置には、トラップ槽４１内に流入した排水に越流を生じさせるための開口（この開口を「越流孔」と言う）５３を形成し、排水流入口６０から上記前室６１ａに浸入した排水が当該越流孔５３から上記後室６１ｂに流れ込むようにした。本体槽１２（排水導入部２１および分離室３１）内の排水の水位Ｗ１は、この越流孔５３の高さによって決定される。なお、この越流孔５３の本体槽の底板１２ｅからの高さは、前記排水流出口５５および排水口１４の下端の高さより高い。また、越流室前室６１ａ内の水位は、本体槽１２（排水導入部２１および分離室３１）内の水位と同じＷ１である。
【００６２】
なお、図面では越流室前室６１ａ内および本体槽１２内の水位Ｗ１を越流孔５３の下端位置に一致するように描いているが、運転中は当該位置より水位は高くなる（次に述べる水封室６２内の水位Ｗ２についても同様に運転中は排水流出口５５および排水口１４の下端高さより高くなる）。
【００６３】
一方、越流孔５３を越えて後室６１ｂに流れ落ちた排水は、当該後室６１ｂに溜まり、また仕切板５０の下の前記連通孔５１を通って水封室６２に浸入して水封室６２内に溜まる。また、これら後室６１ｂおよび水封室６２内に溜まった排水は排水流出口５５および排水口１４を通じて下水道へ自然に流れ出すから、越流室６１の後室６１ｂおよび水封室６２内の排水の水位Ｗ２は、排水流出口５５および排水口１４の高さ（下端の高さ）となる。そして、前記仕切板５０は、当該排水流出口５５および排水口１４の高さより低い位置まで立ち下がっているから、水封室６２内に溜まった排水によって水封状態が確保される。すなわち、越流室６１と水封室６２とを接続する前記連通孔５１は水封室６２内の排水中に水没しているから、排水口１４および排水流入口５５を通じて下水道から逆流してくる臭気は、越流室６１側に漏れることはなく、水封室６２内に閉じ込められる。
【００６４】
本実施形態の阻集器１１における排水の流れ、ならびにトラップ槽４１の機能は、次のとおりである。
【００６５】
処理すべき排水は、まずバスケット２２を通過し、この間に食べ物カスのような比較的大きな固形物がバスケット２２の中に捕捉され除去される。バスケット２２を通過した排水は、スライド板１３の下を潜って分離室３１に浸入する。分離室３１では、油脂のような浮遊性の夾雑物が水との比重差を利用して上部に集められる。また、バスケットを通過した食べ物カスの比較的小さな固形物は重力沈降し、汚泥となり本体槽底面に堆積し、排水から分離される。そして、油脂及び汚泥が取り除かれた分離室３１の底面部の排水は、トラップ槽４１の両側板４４，４５の下に形成した排水流入口６０からトラップ槽４１（越流室６１の前室６１ａ）内に流入する。
【００６６】
前室６１ａに浸入した排水（図５の矢印付太線ｆ１参照）は、堰板５２に沿って上昇し（図５の矢印付太線ｆ２参照）、越流孔５３を通って後室６１ｂに流れ込む（図５の矢印付太線ｆ３参照）。
【００６７】
そして、越流孔５３を通過し後室６１ｂに流れ下った排水は、連通孔５１を通って水封室６２の中へ流れ込み、排水流出口５５および排水口１４を通って阻集器１１の外部へ流れ出し、下水道へ通じる配管１５を通って下水道へと流れていく（図５の矢印付太線ｆ４参照）。
【００６８】
一方、例えば多量の排水が急激に本体槽１２の中へ流入したり下水道への配管１５の内部が負圧となることにより、密閉されている水封室６２の内部が負圧となってサイフォン現象が発生した場合には、連通孔５１を通じて越流室後室６１ｂ内の排水が水封室６２へと引き込まれ、越流室後室６１ｂ内の排水の水位が低下していく。しかしながらこのとき同時に、越流室６１の上面に備えた吸気開口５４から、より詳しくは、越流室前室６１ａの上面の吸気開口５４ａおよび越流孔５３、ならびに越流室後室６１ｂの上面の吸気開口５４ｂを通じて外気（空気）が越流室後室６１ｂへ吸い込まれ、後室６１ｂの水位が連通孔５１の上端より低下した途端に、当該吸気開口５４から吸い込まれた外気が連通孔５１を通って水封室６２へ流れ込み、水封室６２の負圧（サイフォン現象）は直ちに解消される。
【００６９】
またこのとき、水封室６２内に引き込まれるのは越流室後室６１ｂ内の排水だけであり、吸気開口５４から外気が吸入されるから、越流室前室６１ａ内の排水や分離室３１内の排水や浮上分離された油脂や沈降分離された汚泥が強制的に水封室６２へ吸引されることがなく、これらの夾雑物が排水流出口５５から下水道へ流れ出すことがない。
【００７０】
このようにトラップ槽４１を備える本実施形態の阻集器１１によれば、吸気開口５４の作用によりたとえサイフォン現象が発生したとしても直ちにこれを解消することができるうえに、夾雑物が貯留されている分離室３１と下水道に通じる水封室６２とが、吸気開口５４を備えた越流室６１によって遮断・分離されているから、阻集器１１内の油脂や汚泥が下水道へ流出するアクシデントが生じることをより確実に防ぐことが出来る。
【００７１】
なお、上記のような越流室後室６１ｂ内の排水とこれに続く吸気開口５４からの外気の吸引によって水封室６２の水封状態が一時的に（一瞬）破られることがあったとしても、空気の流れは越流室６１から水封室６２に向けた方向となっており、水封室６２内の臭気がこれとは逆の方向（水封室６２から越流室６１に向けた方向）へ流れることはない。また阻集器１１は運転中であり、越流孔５３を乗り越えて直ぐに排水が連通孔５１および水封室６２へ流入してくるから、負圧状態（サイフォン現象）が解消されれば連通孔５１は水没して直ちに水封室６２の水封機能は回復する。したがって、阻集器外部（屋内側）への臭気漏れの問題も生じない。
【００７２】
以上、本発明の実施の形態について説明したが、本発明はこれらに限定されるものではなく、特許請求の範囲に記載の範囲内で種々の変更を行うことができることは当業者に明らかである。
【００７３】
例えば、前記実施形態では、排水口１４を本体槽１２の後壁１２ｂに備え、これに合わせてトラップ槽４１の排水流出口５５を背面板４３に設けたが、本体槽１２の左側壁１２ｃ（または右側壁１２ｄ）に排水口１４を備えても良く、この場合、当該排水口１４の設置位置に合わせてトラップ槽４１の排水流出口５５は、左側板４４（排水口１４を右側壁１２ｄに備えた場合には右側板４５／以下同様）に備える。またこの場合、トラップ槽４１の設置位置を、本体槽１２の排水口１４の位置に近づけるように左側方（または右側方）へずらして、本体槽１２内の左後方角部（または右後方角部）に配置するようにしても良い。
【００７４】
また、前記トラップ槽４１を本体槽１２に対して着脱可能に設置しても良い。この場合、本体槽１２の排水口１４に対してトラップ槽４１の排水流出口５５を着脱可能に接続するとともに、トラップ槽４１の筐体を適当な金具やボルト止め等によって本体槽１２の底板１２ｅに着脱可能に固定すれば良い。
【００７５】
さらに、前記実施形態では排水流入口６０をトラップ槽４１の側面に設けたが、これに代え又はこれに加えて背面側に排水流入口６０を設けることも可能である。背面側に排水流入口６０を設ける方法としては、例えば、前記実施形態の側板４４，４５と同様に背面板４３と本体槽底板１２ｅとの間に隙間を形成しても良いし、背面板４３の下端部にスリット状の孔を形成することにより行うことも可能である。
【００７６】
また、本体槽１２内には、図示した例以外にも排水や夾雑物の流れを制御する様々な仕切板や分離室の堰板等を適宜備えても良く、バスケット２２の有無やスライド板１３をどのように配置するかなども含め、本体槽１２の構造について本発明は特に限定されない。
【００７７】
さらに、前記トラップ槽４１の変形例として、トラップ槽４１への排水の流入を円滑にするため、図６〜図７に示すように越流室前室を取り囲んで排水流入口６０の上部に位置する左側板前部４４ａと右側板前部４５ａについて、それらの下端部に傾斜部を備えても良い。
【００７８】
より詳しくは、図６に示すように排水流入口６０の上部に位置して越流室前室の左側面を覆う左側板４４の前側（上流側）部分（左側板前部）４４ａについて、その上部を、トラップ槽４１の筐体天面（越流室前室の天面）から鉛直下方に立ち下がる垂直部とする一方、当該左側板前部４４ａの下部は、下方に向かうにつれ外方（左方）へ広がる傾斜部とする。なお、左側板４４の後側（下流側）部分４４ｂは、前記実施形態（図４等参照）と同様に、越流室後室と水封室を垂直に覆うようにする。また、右側板４５についても左側板４４と同様に、右側板前部４５ａの下部に傾斜部を備える。
【００７９】
このような傾斜部を備えた構造とすれば、排水は左側板前部４４ａおよび右側板前部４５ａの各傾斜部下縁の各排水流入口６０から越流室前室に流れ込んで各傾斜部の内面に沿って斜め上方へ上昇し（図７の符号ｆ１〜ｆ２参照）、越流室内を越流孔５３に向けてスムーズに流れ進むこととなる。なお、傾斜部と垂直部のなす角度（優角）αを大きくするほどトラップ槽４１内へ排水を流入させやすくすることが出来る。
【符号の説明】
【００８０】
１１  阻集器
１２  阻集器本体槽
１２ａ  本体槽の前壁
１２ｂ  本体槽の後壁
１２ｃ  本体槽の左側壁
１２ｄ  本体槽の右側壁
１２ｅ  本体槽の底板
１３  スライド板（バッフル）
１４  排水口
１５  下水道への配管
１６  本体槽の上蓋
２１  排水導入部
２２  バスケット（受け籠）
２３  排水導入部と分離室との連通部
３１  分離室
３２  分離室の堰板
４１  トラップ槽
４２  トラップ槽の正面板
４３  トラップ槽の背面板
４４  トラップ槽の左側板
４４ａ  トラップ槽の左側板前部
４４ｂ  トラップ槽の左側板後部
４５  トラップ槽の右側板
４５ａ  トラップ槽の右側板前部
４５ｂ  トラップ槽の右側板後部
４６  トラップ槽（水封室）の天板
４７  清掃用開口
４８  蓋体
４９  トラップ槽（水封室および越流室後室）の底板
５０  仕切板
５１  越流室後室と水封室との間の連通孔
５２  堰板
５３  越流孔
５４，５４ａ，５４ｂ  吸気開口
５５  排水流出口
６０  排水流入口
６１  越流室
６１ａ  越流室の前室
６１ｂ  越流室の後室
６２  水封室
ｆ１，ｆ２，ｆ３，ｆ４  トラップ槽内における排水の流れ
Ｗ１  本体槽（排水導入部および分離室）内の排水の水位
Ｗ２  越流室後室および水封室内の排水の水位
【図１】
2019085728.tif 000003
【図２】
2019085728.tif 000004
【図３】
2019085728.tif 000005
【図４】
2019085728.tif 000006
【図５】
2019085728.tif 000007
【図６】
2019085728.tif 000008
【図７】
2019085728.tif 000009